(57)【特許請求の範囲】
【請求項１】
電線挿入孔から鎖錠バネと端子金具との間に挿入された電線を鎖錠バネの圧接部で端子金具に圧接して電線と端子金具とを電気的に接続し、上記端子金具の側方に上下動可能に配置された操作ボタンを押下して圧接部による電線の圧接を解除し、電線を抜脱する端子台において、
上記鎖錠バネには上記操作ボタンに係合する係合部を上記圧接部に連接して側方に突出形成するとともに、上記圧接部より下方に形成し、該係合部を上記端子金具の側壁に形成された開口部から側方に突出させ、上記端子金具の側壁に沿って上下に摺動可能に配置された操作ボタンの下端が上記係合部に係合するようにしたことを特徴とする端子台。
【請求項２】
前記操作ボタンは上死点において下端が前記端子金具の電線との接触部より下方に位置するように位置決め手段が設けられた、請求項１記載の端子台。
【発明の詳細な説明】
【０００１】
【発明の属する技術分野】
本発明は、プリント基板などに取り付けられ、プリント基板上に形成された回路と電線とを電気的に接続する端子台に関する。
【０００２】
【従来の技術】
従来、プリント基板などに取り付けられ、外部からの信号などを電線を介してプリント基板上の回路に供給する端子台は、様々なものが提案され実用に供されている。電線が単線である場合は問題がなかったが、電線が撚り線の場合には電線を電線挿入孔から挿入する際、又は鎖錠バネで電線を端子金具に圧接する際に撚り線がバラバラになることがあり、電線と端子金具との接触が不完全になったり、操作ボタンを押下して鎖錠バネによる端子金具への電線の圧接を解除するときに操作ボタンと鎖錠バネとの間に撚り線の一部が入り込み電線の抜脱ができなくなる問題があり、撚り線を端子金具に圧接させるための空間と、鎖錠バネを操作する空間とを隔離するための隔壁を作る必要があり、そのために、図４（ａ）に示すように、鎖錠バネ４０の鎖錠片４０ａに切り込み部４１を形成し操作部４０ｂが隔壁４２を迂回するようにしたり、実公平７−５５８２２号公報に開示された鎖錠バネ４０’（図４（ｂ）参照）に示されるように、操作部４０ｂ’を鎖錠片４０ａ’よりも小さくし操作部４０ｂ’が隔壁４２に当接しないようにしたものが開示されている。
【０００３】
【発明が解決しようとする課題】
しかしながら、前者の場合には鎖錠片４０ａに切り込み部４１を設けて操作部４０ｂが形成されているために押圧により操作部４０ｂが変形する恐れがあるために板厚を厚くして強度を高める必要があり、後者の場合には操作部４０ｂ’が小さいため大きな押圧力で鎖錠片４０ａ’を撓ませる必要があり前者と同様に鎖錠バネ４０’の強度を高める必要があった。
【０００４】
しかも、隔壁を設けるため端子台全体の横幅を小さくすることができない問題もあった。
【０００５】
本発明は上記問題点を解消し、芯線が単線、撚り線の何れの電線においても接続が確実に行なえるとともに、端子台の横幅を小さくすることができる端子台を提供することをその課題とする。
【０００６】
【課題を解決するための手段】
前記課題を解決するため、本発明に係る端子台は、電線挿入孔から鎖錠バネと端子金具との間に挿入された電線を鎖錠バネの圧接部で端子金具に圧接して電線と端子金具とを電気的に接続し、上記端子金具の側方に上下動可能に配置された操作ボタンを押下して圧接部による電線の圧接を解除し、電線を抜脱する端子台において、上記鎖錠バネには上記操作ボタンに係合する係合部を上記圧接部に連接して側方に突出形成するとともに、上記圧接部より下方に形成し、該係合部を上記端子金具の側壁に形成された開口部から側方に突出させ、上記端子金具の側壁に沿って上下に摺動可能に配置された操作ボタンの下端が上記係合部に係合するようにしたことを特徴とする。
【０００７】
また、前記操作ボタンは上死点において下端が前記端子金具の電線との接触部より下方に位置するように位置決め手段が設けられ、操作ボタンの押し下げ時に操作ボタンが電線を巻き込まないようにすることが好ましい。
【０００８】
【発明の実施の形態】
図1は本発明に係る端子台の分解斜視図を示し、この端子台は本体１の内部に端子金具２と、鎖錠バネ３と、鎖錠バネ３を撓ませて鎖錠バネ３による電線の端子金具２への圧接を解除する操作ボタン４とを配置し、端子金具２の下部に突出して形成された接続ピン５ａ、５ｂを本体１の下方に突出させ、突出した接続ピン５ａ、５ｂをプリント基板にハンダ付けすることにより端子台Ａを基板に固定するとともにプリント基板上の配線と電気的に接続できるようになっているものである。
【０００９】
本体１は絶縁性を有する樹脂製の箱体で、一方の側面には上記端子金具２と鎖錠バネ３とを収容する収容部６が開口して形成され、この収容部６には上面に形成された操作ボタン４の上下動を案内するガイド孔７が連通するとともに、電線３０を案内する切り欠き部８が後面に形成され、切り欠き部８には収容部６に連通する電線３０の芯線３０ａを挿入する電線挿入孔９が形成されている。なお、符号１０ａ、１０ｂは端子金具２に形成された接続ピン５ａ、５ｂを下方に突出させる切り欠き溝を示し、符号１１は鎖錠バネ３の位置決めをするとともに支持する支持軸を示す。この本体１は、一方の側面には嵌合突部１２ａ〜１２ｄが突出形成され他方の側面には嵌合凹部（図示せず）が形成されているので、嵌合突部を嵌合凹部に嵌合させることにより任意の数の本体１を並設することができる。なお、最終段の本体１には嵌合孔１４ａ〜１４ｄが形成された蓋体１５を取り付けて収容部６を塞ぐようにすればよい。
【００１０】
端子金具２は銅板などの導電材を側面視略コ字状に折り曲げて形成したもので、側壁２ａには後述する鎖錠バネ３の係合部２２を突出させる開口部１７が形成され、下方に突出して形成された接続ピン５ａ、５ｂは端子金具２を本体１の収容部６に嵌め込むことにより切り欠き溝１０ａ、１０ｂから下方に突出するようになっている。
【００１１】
なお、端子金具２に電線３０の芯線３０ａが接触する接触部である天板２ｂには芯線３０ａを鎖錠バネ３とで挟着する挟着部１８が楔状に下方に突出して形成され、底板２ｃには後述する鎖錠バネ３の支持片３ｂを支持するとともに、支持片３ｂの底面に形成された係合突部２４に係合し、鎖錠バネ３の横方向のずれを防止する係合孔１９が形成された支持板２０が側方に膨出して形成されている。
【００１２】
鎖錠バネ３は一片が鎖錠片３ａに、他片が支持片３ｂになるように板バネを鉤型に曲折したもので支持片３ｂに対し鎖錠片３ａが下方に撓むことができるように形成されている。そして、鎖錠片３ａの先端部には天板２ｂに圧接する圧接部２１に連接して係合部２２が形成されている。この係合部２２は鎖錠片３ａの側面から側方に突出させた突片をＬ字状に折り曲げて形成されたステップ部２３で構成され、ステップ部２３は操作ボタン４の下端に係合し、操作ボタン４の押し下げに連係して鎖錠片３ａは下方に撓むようになっている。さらに支持片３ｂの底面には係合突部２４が突出形成されている。
【００１３】
そして、収容部６に装填した状態では鎖錠片３ａの圧接部２１が端子金具２の天板２ｂの下面に圧接し、ステップ部２３が端子金具２の開口部１７から側方に突出し、支持片３ｂの裏面に突出形成された係合突部２４が端子金具２の支持板２０に形成された係合孔１９に係合するようになっている。
【００１４】
操作ボタン４は樹脂で板状に形成され、上部は側方に膨出して操作部４ａが形成され、本体１に形成されたガイド孔７を上下に摺動させることができるようになっている。この操作部４ａの上面には、操作用のドライバー等の工具が操作時に滑らないように滑り止め用の溝２６が形成され、上記鎖錠バネ３のステップ部２３に係合する下端は円弧状に形成されている。更に、前面には上死点の位置決めをする位置決め手段であるストッパー２７が突出形成され、このストッパー２７がガイド孔７の内周壁の下端に当接することにより上動が制限され、上死点の位置決めがなされるようになっている。
【００１５】
上記構成の端子台は、本体１に操作ボタン４、端子金具２、鎖錠バネ３を装填した状態では、図２に示すように、鎖錠バネ３の圧接部２１は端子金具２の天板２ｂの下面に圧接した状態になっており、操作ボタン４は自重で下動して下端が係合部２２であるステップ部２３に当接した状態になっている。なお、図２において、符号２８はガイド孔７の内壁面から内方に突出した係合突部で操作ボタンの下動時に操作部４ａの下面が当接し、操作ボタン４の最下端を位置決めするリミッタを示す。
【００１６】
次に、電線を端子台に取り付ける状態を説明する。先ず、ドライバー等の工具を操作部４ａの溝２６にあてがって操作ボタン４を押下してステップ部２３を押し下げることによって鎖錠バネ３の鎖錠片３ａを下方に撓ませ、端子金具２の天板２ｂと、鎖錠バネ３の圧接部２１との間に空間を形成して電線を挿入しやすい状態にする（図３（ａ）参照）。
【００１７】
そして、本体１の電線挿入孔９から電線３０の芯線３０ａを挿入した後、操作ボタン４の押圧を解除すると、鎖錠バネ３の弾性で芯線３０ａは圧接部２１によって端子金具２の天板２ｂの下面に圧接されて固定される（図３（ｂ）参照）。この状態では、操作ボタン４は自重で下端が鎖錠バネ３のステップ部２３に当接するまで下動しているので、電線３０の芯線３０ａが撚り線であって、この撚り線がバレても操作ボタン４の側面で広がりが抑制され、端子金具２に確実に芯線３０ａを接触させることができる。
【００１８】
電線３０を端子台Ａから取り外すときには、ドライバー等の工具を操作部４ａの溝２６にあてがって操作ボタン４を押し下げる。この時、操作ボタン４の下端は係合部２２であるステップ部２３に当接し、これを下方に押し下げることになる。ステップ部２３は鎖錠片３ａに設けられているので押し下げ力は鎖錠片３ａの先端部である圧接部２１を直接押し下げるように作用するので、鎖錠片３ａを軽く撓ませることができ、電線の抜脱を容易に行なうことができる。しかも、芯線３０ａが撚り線でバラけていても、撚り線の一部が操作ボタン４の下端に入り込むことがなく、操作ボタン４の操作時に、撚り線の一部が操作ボタン４と鎖錠バネ３との間に挟まれて電線の抜脱ができなくなるトラブルが回避される。
【００１９】
さらに、外力で操作ボタン４が上動するようなことがあっても、ストッパー２７がガイド孔７の内周壁の下端に当接して操作ボタン４の上動が制限されるので、図３（ｃ）に示すように、操作ボタン４の側面から芯線３０ａが外れる位置まで操作ボタン４が上昇しないので、撚り線は操作ボタン４の下端に入り込むことがなく、操作ボタン４の操作時に、撚り線の一部が操作ボタン４と鎖錠バネ３との間に挟まれて電線の抜脱ができなくなるトラブルが回避され、電線が単線、撚り線の何れにも対応することができる。
【００２０】
【発明の効果】
本発明によれば、鎖錠バネには操作ボタンに係合する係合部を鎖錠バネが電線を端子金具に圧接する圧接部よりも下方に設けるとともに、係合部を端子金具の側壁に形成された開口部の外側に突出させ、操作ボタンを端子金具の側壁に沿って上下に摺動するようにしたので、操作ボタンを押下操作した際、電線が撚り線の場合に撚り線がバラけても操作ボタンの下端と、鎖錠バネの係合部との間に入り込むことがなく、抜脱時に撚り線の一部が操作ボタンに押し付けられて抜脱できなくなるようなトラブルを回避することができるとともに、圧接部と操作ボタンに係合する係合部とを隔離する隔壁を別途設ける必要がなく端子台全体の横幅を小さくすることができ、基板上に取り付ける際のスペースの縮小を図ることができるので基板設計上の自由度を大きくすることができる。
【００２１】
さらに、操作ボタンの上動を制限するリミッタを設けることにより、操作ボタンが上死点まで上動するようなことがあっても、操作ボタンの下端は電線の位置よりも下方に位置することになり、操作ボタンが撚り線の一部を巻き込むことがなくなり、抜脱できなくなるようなトラブルをより確実に回避することができる。
【図面の簡単な説明】
【図１】本発明に係る、端子台の構成を説明する分解斜視図
【図２】（ａ）（ｂ）は本体の縦段面図及びＸ−Ｘ’線断面図
【図３】（ａ）（ｂ）（ｃ）は端子台の使用態様を説明する本体の縦断面図
【図４】（ａ）（ｂ）は従来の鎖錠バネの構造を示す斜視図
【符号の説明】
１  本体
２  端子金具
２ｂ  接触部（天板）
３  鎖錠バネ
４  操作ボタン
１７  開口部
２１  圧接部
２２  係合部
２７  位置決め手段（ストッパー）
【図１】
0003565806.tif 000002
【図２】
0003565806.tif 000003
【図３】
0003565806.tif 000004
【図４】
0003565806.tif 000005